(57)【特許請求の範囲】
【請求項１】
複数の光電変換素子を有し蓄積された電荷に応じたアナログ信号を出力する撮像手段と、
前記撮像手段における利得処理の利得を指示する指示手段と、
前記撮像手段からの出力信号を基に画像の表示を制御する第１の制御手段と、
前記撮像手段からの出力信号に基づいて撮像条件を制御する第２の制御手段とを有し、
前記指示手段により利得の指示が利得を上げる方向または下げる方向の指示であった場合に、前記撮像手段は、当該利得を上げる方向または下げる方向の指示に対応させて利得を上げて又は下げて第１の利得処理を施した出力信号と、当該利得を上げる方向または下げる方向の指示に対して利得を変えずに維持して第２の利得処理を施した出力信号とを出力し、前記第１の制御手段は前記第１の利得処理を施した出力信号に基づき画像の表示を制御するとともに前記第２の制御手段は前記第２の利得処理を施した出力信号に基づき撮像条件を制御することを特徴とする撮像装置。
【請求項２】
上記第２の利得処理は、前記指示手段により利得の指示の前の第１の利得処理と同じであることを特徴とする請求項１に記載の撮像装置。
【請求項３】
前記指示手段により利得の指示があった場合、前記撮像手段は当該指示に基づいた第１の利得処理を施した出力信号と当該第１の利得と異なる第２の利得処理を施した出力信号とをフレームごとに出力することを特徴とする請求項１又は２に記載の撮像装置。
【請求項４】
前記指示手段により利得の指示があった場合、前記第２の制御手段は前記第２の利得処理を施した出力信号のコントラストに基づきフォーカスレンズを制御することを特徴とする請求項１乃至３のいずれか１項に記載の撮像装置。
【請求項５】
前記指示手段により利得の指示があった場合、前記第２の制御手段は前記第２の利得処理を施した出力信号に基づき露出条件を制御することを特徴とする請求項１乃至４のいずれか１項に記載の撮像装置。
【請求項６】
前記指示手段により利得の指示があった場合、前記第２の制御手段は前記第２の利得処理を施した出力信号に基づき色温度を調節することを特徴とする請求項１乃至５のいずれか１項に記載の撮像装置。
【請求項７】
複数の光電変換素子を有し蓄積された電荷に応じたアナログ信号を出力する撮像手段と、
前記撮像手段における利得処理の利得を指示する指示手段と、
前記撮像手段からの出力信号を基に画像の表示を制御する第１の制御手段と、
前記撮像手段からの出力信号に基づいて撮像条件を制御する第２の制御手段とを有する撮像装置の制御方法であって、
前記指示手段により利得の指示が利得を上げる方向または下げる方向の指示であった場合に、前記撮像手段は、当該利得を上げる方向または下げる方向の指示に対応させて利得を上げて又は下げて第１の利得処理を施した出力信号と当該利得を上げる方向又は下げる方向の指示に対して利得を変えずに維持して第２の利得処理を施した出力信号とを出力し、前記第１の制御手段は前記第１の利得処理を施した出力信号に基づき画像の表示を制御するとともに前記第２の制御手段は前記第２の利得処理を施した出力信号に基づき撮像条件を制御することを特徴とする制御方法。
【請求項８】
前記指示手段により利得の指示が利得を下げる方向の指示であった場合に、前記撮像手段は、当該利得を下げる方向の指示に対応させて利得を下げられないときには前記複数の光電変換素子の露出を下げて第１の利得処理を施した出力信号と、当該利得を下げる方向の指示に対して利得を上げて第２の利得処理を施した出力信号とを出力することを特徴とする請求項１乃至６のいずれか１項に記載の撮像装置。
【発明の詳細な説明】
【技術分野】
【０００１】
本発明は、適切な画像表示を行いながら、高精度に撮像条件の検出を行う技術思想に関する。
【背景技術】
【０００２】
現在、多くの撮像装置では、撮像素子から連続的に読み出された画像信号を、カメラの背面などに設置されたＬＣＤモニタなどの表示装置に順次表示し、撮像する画像を確認することができるライブビュー機能が搭載されている。また、撮像素子から読み出される出力信号を基に、被写体輝度を検出したり、合焦状態を検出したり、白色を適切に白く映し出すように色温度の検出といった撮像条件の検出を行っている。
【０００３】
しかし、検出した被写体輝度に応じて露出を補正した効果をライブビュー機能で表示された画像で確認する場合、画像信号が適切にならない場合がある。これは、撮像素子から読み出される信号が撮像条件の検出に適したレベルからシフトされためである。つまり、露出をオーバー側にシフトするよう補正した場合は画素信号が飽和してしまったり、アンダー側にシフトするよう補正した場合は画素信号が潰れてしまったりする。そうした撮像条件の検出には適切になっていない画像信号に基づいて被写体輝度を検出したり、合焦状態を検出したり、白色を適切に白く映し出すように色温度の検出を行うと精度が低下してしまう。
【０００４】
この問題を解決する技術思想として、特許文献１が提案されている。この提案においては、露出補正をかける場合も撮像素子からは露出補正をかけない信号を読出し、画像表示を行うＶＲＡＭからの信号に利得をかけて輝度レベルを調節し表示を行うものである。
【特許文献１】特開２０００−２８９４７２号公報
【発明の開示】
【発明が解決しようとする課題】
【０００５】
しかし、前述の特許文献１においては、表示する際にＶＲＡＭからの出力信号に利得をかけて輝度レベルの調節を行うため露出補正の補正量によっては、大きくＳＮが低下してしまう場合がある。
【課題を解決するための手段】
【０００６】
本願の技術思想では、上記課題を解決するために、複数の光電変換素子を有し蓄積された電荷に応じたアナログ信号を出力する撮像手段と、前記撮像手段における利得処理の利得を指示する指示手段と、前記撮像手段からの出力信号を基に画像の表示を制御する第１の制御手段と、前記撮像手段からの出力信号に基づいて撮像条件を制御する第２の制御手段とを有し、前記指示手段により利得の指示が利得を上げる方向または下げる方向の指示であった場合に、前記撮像手段は、当該利得を上げる方向または下げる方向の指示に対応させて利得を上げて又は下げて第１の利得処理を施した出力信号と、当該利得を上げる方向または下げる方向の指示に対して利得を変えずに維持して第２の利得処理を施した出力信号とを出力し、前記第１の制御手段は前記第１の利得処理を施した出力信号に基づき画像の表示を制御するとともに前記第２の制御手段は前記第２の利得処理を施した出力信号に基づき撮像条件を制御する。
【発明の効果】
【０００７】
本願の技術思想によると、ユーザーにより利得指示があった場合でも、ＳＮの良い画像信号を基に画像の表示を行いつつ、精度を低下させること無く撮像条件の検出を行うことができる。
【発明を実施するための最良の形態】
【０００８】
（実施例１）
以下、本発明の実施の形態について、図面を参照しながら詳細に説明する。
【０００９】
本実施の形態に係る撮像装置は、表示用に調節された信号出力を用いてＳＮの良い画像信号を基に画像の表示を行いつつ、精度を低下させること無く撮像条件の検出を行うことが可能な装置である。撮像条件の検出とは、たとえば、被写体輝度を検出したり、合焦状態を検出したり、白色を適切に白く映し出すようにするための色温度の検出である。
【００１０】
図１は本発明の実施形態である一眼レフタイプのデジタルカメラシステムに内蔵された電気的構成を示すブロック図である。
【００１１】
図１に示すように本実施形態のデジタルカメラ１００は、撮像レンズユニット２００が不図示のマウント機構を介し着脱可能に取り付けられる。マウント部には、電気的接点群２１０を有している。接点群２１０はカメラ本体１００と撮像レンズ２００との間で制御信号、状態信号、データ信号などを伝え合う。これによりデジタルカメラ１００と撮像レンズユニット２００の間で通信を行い撮像レンズユニット内のフォーカスレンズを有する撮像レンズ２０１、絞り２０２の駆動を行うことが可能となる。また、接点群２１０は電気通信のみならず、光通信、音声通信等を伝達する構成としても良い。
【００１２】
なお、本実施の形態では便宜上１枚の撮像レンズで示しているが、実際はさらに多数のレンズから構成されていることは周知の通りである。
【００１３】
なお、フォーカスレンズは１枚で構成される場合や、複数のレンズで構成される場合など光学設計上構成される。
【００１４】
図示されない被写体像からの撮像光束が、フォーカスレンズを有する撮像レンズ２０１及び絞り２０２を介して、図示する矢印方向に駆動可能なクイックリターンミラー１０２に導かれる。クイックリターンミラー１０２の中央部はハーフミラーになっており、該クイックリターンミラー１０２がダウンした際に一部の光束が透過する。そして、この透過した光束は、クイックリターンミラー１０２に設置されたサブミラー１０３で下方に向けて反射される。
【００１５】
１０４は不図示である結像面近傍に配置されたフィールドレンズ、反射ミラー、２次結像レンズ、絞り、及び、複数のＣＣＤから成るラインセンサ等から構成されている周知の位相差方式のＡＦセンサユニットである。そして、システムコントローラ１２０からの制御信号から、焦点検出回路１０５はＡＦセンサユニット１０４を制御して、周知の位相差検出方式により焦点検出を行う。
【００１６】
なお、ＡＦセンサユニット１０４と焦点検出回路１０５とから焦点検出手段を構成している。
【００１７】
一方、クイックリターンミラー１０２で反射された撮像光束は、ペンタプリズム１０１、接眼レンズ１０６を介してユーザーの目に至る。
【００１８】
また、クイックリターンミラー１０２がアップした際には、上記フォーカスレンズを備えた撮像レンズ２０１からの光束は、フォーカルプレーンシャッタ１０８、フィルタ１０９を介して撮像手段としてのＣＭＯＳ等のイメージセンサ１１２に至る。
【００１９】
上記フィルタ１０９は２つの機能を有しているもので、１つは赤外線をカットし可視光線のみをイメージセンサ１１２へ導く機能である。もう１つは光学ローパスフィルタとしての機能である。また、本実施形態のデジタルカメラ１００は、当該デジタルカメラ全体の制御手段となり、制御を司るＣＰＵにより構成されるシステムコントローラ１２０を備え、後述する各部の動作を適宜制御する。
【００２０】
上記システムコントローラ１２０には、上記撮像レンズ２０１を光軸方向に移動してピント合わせを行うためのレンズ駆動機構２０３を制御するレンズ制御回路２０４が接続されている。また、上記絞り２０２を駆動するための絞り駆動機構２０５を制御する絞り制御回路２０６とが接続されている。また、システムコントローラ１２０には、クイックリターンミラー１０２のアップ・ダウンの駆動及びフォーカルプレーンシャッタ１０８のシャッタチャージを制御するシャッタチャージ・ミラー駆動機構１１０が接続されている。また、システムコントローラ１２０には、フォーカルプレーンシャッタ１０８の先幕、後幕の走行を制御するためのシャッタ制御回路１１１とが接続されている。また、上記接眼レンズ１０６の近傍に配設された不図示の被写体輝度を検出する測光センサに接続された自動露出装置である測光回路１０７とが接続されている。さらにシステムコントローラ１２０には、当該デジタルカメラ１００を制御する上で調整が必要なパラメータやデジタルカメラの個体識別が可能なカメラＩＤ情報を記憶している記憶手段であるＥＥＰＲＯＭ１２２が接続されている。ＥＥＰＲＯＭ１２２には、基準レンズで調整されたＡＦ補正データや自動露出補正値なども記憶されている。
【００２１】
レンズ制御回路２０４にはレンズ固有の情報、例えば焦点距離、開放絞り、レンズ個々に割り振られるレンズＩＤという情報とシステムコントローラ１２０から受け取った情報を記憶するレンズ記憶装置も有している。
【００２２】
上記測光回路１０７に接続される測光センサは、被写体の輝度を測定するためのセンサであり、その出力は測光回路１０７を経てシステムコントローラ１２０へ供給される。
【００２３】
また、上記システムコントローラ１２０は、上記レンズ駆動機構２０３を制御することにより、被写体像をイメージセンサ１１２上に結像する。また、システムコントローラ１２０は、設定されたＡｖ値に基いて、絞り２０２を駆動する絞り駆動機構２０５を制御し、更に、設定されたＴｖ値に基いて、上記シャッタ制御回路１１１へ制御信号を出力する。
【００２４】
また、上記システムコントローラ１２０には、画像データコントローラ１１５が接続されている。この画像データコントローラ１１５は、ＤＳＰ（デジタル信号プロセッサ）により構成され、イメージセンサ１１２の制御、該イメージセンサ１１２から入力された画像データの補正や加工などをシステムコントローラ１２０の指令に基いて実行するものである。画像データの補正・加工の項目の中にはオートホワイトバランスも含まれている。オートホワイトバランスとは、色温度が異なる光源状態でも、白色を正確に白く映し出すように信号を補正し画像の色温度を調整する機能である。オートホワイトバランスは、システムコントローラ１２０からの命令により補正量を変更する事が可能である。
【００２５】
さらに、システムコントローラ１２０と画像データコントローラ１１５とから、第２の測光手段を構成している。第２の測光手段は、画像データコントローラ１１５によって、画像信号を領域分割し、それぞれの領域でベイヤ画素毎に積分した値をシステムコントローラ１２０に供給し、システムコントローラ１２０で積分信号を評価することで被写体の輝度の検出を行う。
【００２６】
上記画像データコントローラ１１５には、イメージセンサ１１２を駆動する際に必要なパルス信号を出力するタイミングパルス発生回路１１４が接続されている。また、イメージセンサ１１２と共にタイミングパルス発生回路１１４で発生されたタイミングパルスを受けて、該イメージセンサ１１２から出力される被写体像に対応したアナログ信号をデジタル信号に変換するＡ／Ｄコンバータ１１３が接続されている。また、得られた画像データ（デジタルデータ）を一時的に記憶しておくＤＲＡＭ１２１が接続されている。また、Ｄ／Ａコンバータ１１６及び画像圧縮回路１１９、コントラスト検出回路１４０とが接続されている。
【００２７】
また、上記Ｄ／Ａコンバータ１１６には、エンコーダ回路１１７を介して画像表示回路１１８が接続される。上記画像表示回路１１８は、イメージセンサ１１２で撮像された画像データを表示するための回路であり、一般にはカラーの液晶表示素子により構成される。
【００２８】
第１の制御手段として機能する画像データコントローラ１１５は、ＤＲＡＭ１２１上の画像データを、Ｄ／Ａコンバータ１１６によりアナログ信号に変換してエンコーダ回路１１７へ出力する。エンコーダ回路１１７はこのＤ／Ａコンバータ１１６の出力を、上記画像表示回路１１８を駆動する際に必要な映像信号（例えばＮＴＳＣ信号）に変換する。
【００２９】
なお、Ｄ／Ａコンバータ２１５と画像表示回路１１８とエンコーダ回路１１７とから画像表示手段を構成している。
【００３０】
また、上記コントラスト検出回路１４０は、第２の制御手段として機能するシステムコントローラ１２０の指令に基づいて実行される。画像データコントローラ１１５によって補正された画像データに対し、所定の周波数特性を持つフィルタを通す。フィルタを通った信号に基づいて、所定のガンマ処理を行う。これにより画像のコントラストの評価を行い、コントラスト評価値としてシステムコントローラ１２０に供給される。システムコントローラ１２０は、レンズ制御回路２０４と通信を行い焦点位置を調節する。そうしてコントラスト評価値が高くなるように焦点位置を調節する。
【００３１】
さらにシステムコントローラ１２０には、当該デジタルカメラの動作モードの情報や露出情報（シャッタ秒時、絞り値等）などを外部液晶表示装置１２４や内部液晶表示装置１２５に表示させる動作表示回路１２３と接続されている。その他、ユーザが所望の動作を当該電子カメラに実行させるべくモードを設定する撮像モード選択ボタン１３０と、メイン電子ダイヤル１３１と、決定ＳＷ１３２と接続されている。また、ＡＦセンサユニット１０４が持つ複数の焦点検出位置から使用する焦点検出位置を選択するための測距点選択ボタン１３３と接続されている。また、ＡＦモード選択ボタン１３４と、測光モード選択ボタン１３５と、測光・測距などの撮像条件の検出を開始させるためのレリーズＳＷ１（１３６）と接続されている。そして、撮像動作を開始させるためのレリーズＳＷ２（１３７）と、ファインダーモード選択ボタン１３８とが接続されている。
【００３２】
なお、外部液晶表示装置１２４と内部液晶表示装置１２５とが動作表示手段に相当し、さらに、外部液晶表示装置１２４は外部表示手段、内部液晶表示装置１２５は内部表示手段にそれぞれ相当する。さらに、動作表示回路１２３とシステムコントローラ２２３とから表示制御手段を構成している。
【００３３】
また、ファインダーモード選択ボタン１３８は、モードとを切り替えるファインダーモード選択手段に相当する。このモードの一つは、接眼レンズ１０６を通過する光束を確認することが可能な光学ファインダーモードである。また他の一つは、イメージセンサ１１２で受光した象信号を、逐次、画像表示回路１１８によって表示を行うライブビューモードである。
【００３４】
ここで、上記複数の光電変換素子を有するイメージセンサ１１２について図６から図９を用いて説明する。
【００３５】
このイメージセンサ１１２は、行及び列毎にある周期で信号をどれだけ増幅（利得）させるかを選択することができる撮像手段である。そのため、１回の露光、電荷の蓄積、画素信号の読み出しで輝度レベルの異なる出力信号を得ることができる。このイメージセンサ１１２の構成の一例を図６に示す。図６の１は光電変換素子を含む水平方向及び垂直方向に配置された複数の光電変換部を有する画素によって構成される画素配列である。２は画素配列１から画素信号を読み出す回路であり、行選択手段３および列選択手段４によって選択された画素から画素信号を順次読み出す。また、５は複数種類の異なる利得が設定可能な利得回路であり、利得選択手段６によって選択された利得で画素信号を増幅し出力する。利得選択回路６は一回の読出しの際、行および列ごとに複数種類の異なる利得を利得回路に設定する手段を有している。
【００３６】
図７は、図６の画素配列１に構成されている画素配列と、画素信号の読出しの際に利得選択回路６によって選択された利得の選択例を示したものである。２行毎にＩＳＯ１００に相当する利得とＩＳＯ４００に相当する利得とを交互に選択する。これにより、一のフレームの中で異なる２種類の利得の掛けられた画素信号が読み出される。なお、ここでは、簡略化のために１２行８列で示している。また、ここでは、ＩＳＯ１００に相当する利得とＩＳＯ４００に相当する利得といった２種類の異なる利得を選択した場合の例である。この点、選択される利得の値、および種類の数はこの限りではない。
【００３７】
図８は、さらに間引き読出しを行った場合の例である。この例では、３行毎に１行間引いて読出しを行っており、読出される行ごとにＩＳＯ１００に相当する利得とＩＳＯ４００に相当する利得とを交互に選択して読み出している。このように間引き読出しを行うことにより、一のフレームからの読出し時間を短くすることが可能である。また、ここでは１／３間引き読出しを行った場合の例である。この点、間引き周期は１／３に限らない。
【００３８】
図９は、列毎に利得選択手段６によって、読み出す画素信号の利得設定を選択し、かつ、３列毎に１列間引いて読み出した場合の例である。この例では、読み出される列毎にＩＳＯ１００に相当する利得とＩＳＯ８００に相当する利得とを交互に選択して読出しを行っている。また、ここでは、３列毎に１列間引き、２種類の異なる利得を選択した場合の例を示した。この点、間引き周期、および利得値、種類数はこの限りではない。
【００３９】
以上のように構成されたシステムについて、本発明の第１の実施形態の動作フローを図２を用いて詳細に説明する。図２の説明では、特に明記しない場合カメラ制御部１２０の指示において行うものである。
【００４０】
図２のステップＳ００１では、ファインダーモード選択ボタンによりライブビューモードの開始がシステム制御部に通知されると、システム制御部により、ミラーアップ、および、メカシャッターが開かれる。そうすると、レンズユニットを通過した光束が撮像手段としての撮像素子へ露光されつづける状態になる。続いて、ステップＳ００２へ移行する。
【００４１】
ステップＳ００２のライブビュー動作について、図３、図４を用いて説明する。図３は、図８で説明した間引き行がある場合の読み出しに関するものである。
【００４２】
ライブビュー動作において、システム制御部は、絞りと撮像素子における電荷の蓄積時間をユーザーが指定した露出補正量などに関わらず適切な画素信号が得られるように設定する。そして、撮像素子からの第１の信号出力は表示用にユーザーが指定した利得に調節された輝度レベルの信号出力となるように撮像手段の第１の利得回路設定を行う。例えば、図５でいうところの＋３段にユーザーが指定した場合には、ＩＳＯ８００に想到する利得処理を行うように設定する。一方、撮像素子からの第２の信号出力が測距・測光・ＷＢ検出用の輝度レベルの信号出力となるように撮像手段の第２の回路設定を行う。例えば、図５でいうところの＋３段にユーザーが指定した場合においても、ＩＳＯ１００に想到する利得処理を行うように設定する。
【００４３】
これにより、ユーザーからの利得の指示があった場合に、当該指示に対応した第１の利得処理を施した出力信号と当該第１の利得と異なる第２の利得処理を施した出力信号とを出力することになる。
【００４４】
ここで、第１の信号出力と第２の信号出力は、同じフレームで露光、電荷の蓄積、画素信号の読出しが行われたものであるため、利得回路設定の差分だけシフトした輝度レベルの信号出力となる。したがって、第１の信号出力と第２の信号出力は撮像画像自体は相関の高いものである。別のフレームで第１の信号出力と第２の信号出力とを出力する場合、この相関の高さを犠牲にすることになる。
【００４５】
また、測距・測光・ＷＢ検出において、測光、ＷＢに関しては撮像画像に基づいてその撮像画像を補正することが可能である。一方で、測距に関しては撮像画像に基づいて以降の撮像画像に反映せざるを得ない点、上記の第２の信号出力に基づいてコントラスを検出する意義はより大きい。
【００４６】
続いてシステム制御部は、図４に示すように撮像素子から連続的に読み出されたアナログの第１の信号出力を、Ａ／Ｄコンバータ１１３によってデジタル信号に変換する。その後、ＤＳＰ１１５で画像処理を行う。そして、Ｄ／Ａ、エンコードを行ってＶＲＡＭに転送し、カメラの背面などに設置されたＬＣＤモニタに順次表示する。
【００４７】
また、撮像手段から読み出された第２の信号出力を基に測光及びＷＢ検出を行い、自動露出制御機能によって、絞りや蓄積時間、利得回路の設定を行う。また、ＷＢ制御機能によって白色を正確に白く映し出すようにホワイトバランスが調節される。
【００４８】
ここで、各露出補正量が設定された時の表示用と補正用の利得回路設定の設定値の組み合わせの一例を図５に示す。図５では、第２の利得回路設定によって調節された撮像手段からの第２の信号出力は適正な輝度レベルとなるように調節されている。一方、表示用に用いられる第１の利得回路設定によって調節された撮像手段からの第１の信号出力は、ユーザーの指示による露出補正量に相当する輝度レベルになるような利得に設定されている。例えば、この図５で示すように、±０段においてＩＳＯ１００の場合に、ユーザーが−３段を指定した場合は次のようになる。すなわち、本実施例ではＩＳＯ１００が最も小さい利得処理であるために、−３段に相当する露出制御、絞りを絞ったり、電荷の蓄積時間を短くしたりする。この場合、撮像条件の検出には不適な黒ツブレの可能性があるので、第２の出力信号においてはＩＳＯ８００に相当する利得処理を行うことになる。
【００４９】
ここで、この図５の組み合わせは一例であり、これに限定されることはない。また、撮像条件検出用の第２の出力信号は、被写体輝度を検出したり、合焦状態を検出したり、白色を適切に白く映し出すように色温度の検出といった撮像条件の検出において、高精度な結果が得られるように調節されていれば足りる。
【００５０】
また、上記説明ではユーザによる利得の指示の方法として、露出量の補正としての＋３段、−１段といった段数を指定するようにしたが、ＩＳＯ８００、ＩＳＯ１００などの利得の指示の方法であっても構わない。この場合においても、ユーザーの指示に基づく利得処理を行う第１の出力信号と、撮像条件に合わせた第２の出力信号とを出力するようにする。
【００５１】
次に、図２のステップＳ００２でレリーズＳＷ１が押されるとステップＳ００３に移行する。システム制御部は、第２の利得回路設定をコントラストの検出、被写体輝度の検出、被写体の色温度の検出に適した画素信号となるよう設定する。そして、撮像素子から出力される第２の信号出力がコントラスト検出回路１４０に供給される。システム制御部は、コントラスト検出回路１４０の出力結果を基にレンズ制御回路２０４と通信を行いフォーカスレンズを移動させることで焦点状態を調節する。焦点状態の調節が終了するとステップＳ００４へ移行する。
【００５２】
ステップＳ００４では、ライブビュー動作中と同様、イメージセンサ１１２から読み出された出力信号を基に被写体の輝度の検出（測光）を行い、撮像用Ｂｖ値を算出する。また、同時にＷＢ検出も行われる。つづいて、ステップＳ００５に移行する。
【００５３】
ステップＳ００５では、レリーズＳＷ１が押下されているとき、上記撮像用Ｂｖ値をシステム制御部によって保持し、ライブビュー動作を行う。また、測光、ＷＢ検出を継続して行う。レリーズＳＷ１がＯＦＦされると保持していた撮像用Ｂｖ値を破棄してステップＳ００２に移行する。
【００５４】
ステップＳ００５でレリーズＳＷ２が押されるとＳ００６に移行し、静止画の撮像を行う。この場合、ステップＳ００４で求めた撮像条件からＢｖ値を算出する。そしてこのＢｖ値とユーザによって設定された撮像モード、及び、露出補正量などの撮像パラメータにしたがってカメラの露出条件の設定を行う。なお、ここでは、第１の利得回路設定と第２の利得回路設定は同じ値に設定される。この目標とするＢｖ値は、第２の利得によって得られた撮像条件の決定に適した信号に基づいて演算したものである。また、本実施の形態における静止画撮像の白色を適切に白く映し出すための色温度の検出は、当該静止画から検出を行っている。
【００５５】
ステップＳ００７では、開かれているシャッターを一旦閉じてバネチャージを行い、設定されたＴｖ値で先幕、後幕を走らせ、イメージセンサ１１２から間引かずに順次読み出す通常の撮像動作を行う。読み出された画像信号は、ＤＳＰ１１５によって画像補正処理が行われ、画像圧縮回路１１９によってＪＰＥＧなどへの画像変換が行われた後、記録媒体４０１へ画像が記録される。
【００５６】
また、イメージセンサ１１２から読み出しが終了すると、ミラーアップ、及び、シャッター幕を開いた状態で保持し、ステップＳ００２に戻りライブビュー動作が再開される。
【００５７】
上記技術思想に基づけば、ユーザーにより利得処理の利得の指示があった場合においてもＳＮの良い信号を基にライブビュー表示を行いつつ、高精度に撮像条件の検出を行うことが可能になる。
【００５８】
なお、本実施例では、２種類の利得の設定を行う例を示したが、利得種類の数はこの限りではなく、複数種類の出力信号を用いて表示、及び、補正を行ってもよい。
【００５９】
また、利得処理として、図６〜９で説明したほかに、画素ごとに蓄積された信号を加算する場合が考えられる。このような場合、ユーザーにより利得処理の利得の指示があった場合には信号の加算を行う。その一方で、そのような指示があった場合においても撮像条件を決定するための処理としては指示に基づく信号の加算の処理でなく撮像条件を決定するのに適した利得処理を行う。このような加算による利得処理といった技術思想にも上記説明は当て嵌まる。
【図面の簡単な説明】
【００６０】
【図１】本発明の実施の形態における撮像装置の構成を示すブロック図である。
【図２】本発明の実施の形態における動作フローを示すフローチャートである。
【図３】本発明の実施の形態の画素毎の読出し利得を示す模式図である。
【図４】本発明の実施の形態の構成を示すブロック図である。
【図５】本発明の実施の形態における利得回路設定の設定例である。
【図６】本発明の実施の形態における個体撮像素子のブロック図である。
【図７】本発明の実施の形態の全画素読出しの場合の模式図である。
【図８】本発明の実施の形態の間引読出しの場合の模式図である。
【図９】本発明の実施の形態の画素毎の読出し利得を示す模式図である。
【符号の説明】
【００６１】
１００  カメラ本体
１０１  ペンタプリズム
１０２  クイックリターンミラー
１０３  サブミラー
１０４  ＡＦセンサユニット
１０５  焦点検出回路
１０６  接眼レンズ
１０７  測光回路
１０８  フォーカルプレーンシャッタ
１０９  フィルタ
１１０  シャッターチャージミラー駆動機構
１１１  シャッター制御回路
１１２  撮像素子
１１３  Ａ／Ｄコンバータ
１１４  タイミングパルス発生回路
１１５  画像データコントローラ
１１６  Ｄ／Ａコンバータ
１１７  エンコーダ回路
１１８  画像表示回路
１１９  画像圧縮回路
１２０  システムコントローラ（ＣＰＵ）
１２１  ＤＲＡＭ
１２２  ＥＥＰＲＯＭ
１２３  動作表示回路
１２４  外部液晶表示装置
１２５  内部液晶表示装置
１２６  通信インタフェース
１３０  撮像モード選択ボタン
１３１  メイン電子ダイヤル
１３２  決定ＳＷ
１３３  測距点選択ボタン
１３４  ＡＦモード選択ボタン
１３５  測光モード選択ＳＷ
１３６  レリーズＳＷ１
１３７  レリーズＳＷ２
１３８  ファインダーモード選択ボタン
２００  レンズユニット
２０１  撮像レンズ
２０２  絞り
２０３  レンズ駆動機構
２０４  レンズ制御回路
２０５  絞り駆動機構
２０６  絞り制御回路
２１０  電気的接点群
３００  ストロボ装置
３１０  電気的接点群
【図１】
0005116397.tif 000002
【図２】
0005116397.tif 000003
【図３】
0005116397.tif 000004
【図４】
0005116397.tif 000005
【図５】
0005116397.tif 000006
【図６】
0005116397.tif 000007
【図７】
0005116397.tif 000008
【図８】
0005116397.tif 000009
【図９】
0005116397.tif 000010